(57)【要約】      （修正有）【課題】身体の部位に応じて押接の強弱を調整可能となし、自律神経反射を生じさせて筋の緊張（こり）の解消とむくみの改善を可能とする、装着が容易なサポーターを提供する。【解決手段】細紐状のストリング部１１と、当該ストリング部１１に形成した多面体状等の複数の駒部１２とを有してなる複数本の押接帯１０と、この複数本の押接帯１０を取付ける保持板２０とから構成され、前記複数本の押接帯１０の各々の一端部を前記保持板の一側部に固定または着脱自在に取付け、当該押接帯１０の他端部を包帯のように上下肢の対象部位に巻き回し、前記上下肢の各部の太さに応じて、前記押接帯１０の駒部１２の何れかを前記保持板２０に形成した係止手段に係止することによって、複数の前記押接帯１０の各々は、前記上下肢の各部位の太さに応じた押接度で前記上下肢を加圧保持するようになすとともに、前記保持板の皮膚との押接面に、複数の凸部６０を設けた。【選択図】図２
0003197415.tif 000002
【実用新案登録請求の範囲】
【請求項１】
細紐状のストリング部と、当該ストリング部に形成した多面体状または球体状の複数の駒部とを有してなる複数本の押接帯と、この複数本の押接帯を取付ける保持板とから構成され、前記複数本の押接帯の各々の一端部を前記保持板の一側部に固定または着脱自在に取付け、当該押接帯の他端部を包帯のように上下肢の対象部位に巻き回し、前記上下肢の各部の太さに応じて、前記押接帯の前記駒部の何れかを前記保持板に形成した係止手段に係止することによって、複数の前記押接帯の各々は、前記上下肢の各部位の太さに応じた押接度で前記上下肢を加圧保持するようになしたことを特徴とするサポーター。
【請求項２】
細紐状のストリング部と、当該ストリング部に形成した多面体状または球体状の複数の駒部とを有してなる複数本の押接帯と、この複数本の押接帯を取付ける保持板とから構成され、前記複数本の押接帯の各々の一端部を前記保持板の一側部に固定または着脱自在に取付け、当該押接帯の他端部を包帯のように上下肢の対象部位に巻き回し、前記上下肢の各部の太さに応じて、前記押接帯の前記駒部の何れかを前記保持板に形成した係止手段に係止することによって、複数の前記押接帯の各々は、前記上下肢の各部位の太さに応じた押接度で前記上下肢を加圧保持するようになすとともに、前記保持板の皮膚との押接面に、複数の凸部を設けたことを特徴とするサポーター。
【請求項３】
前記押接帯の他端部を係止するため前記保持板に形成した係止手段は、コ字状をなす保持板の対向位置する側板部に形成した固定用の係止溝であり、当該係止溝内に押接帯のストリング部を通し、前記駒部を引っ掛けて係止するようになっていることを特徴とする請求項１または請求項２に記載のサポーター。
【請求項４】
前記押接帯の他端部を係止するため前記保持板に形成した係止手段は、矩形板状をなす保持板の表面側に形成した固定用の多数の対となる衝立部であり、当該衝立部に囲まれた領域内に押接帯の前記駒部を嵌着して係止するようになっていることを特徴とする請求項１または請求項２に記載のサポーター。
【請求項５】
前記保持板の皮膚との押接面に設けられた複数の前記凸部は円錐形状をなし、当該円錐形状の先端部が皮膚を押接するようになっていることを特徴とする請求項２に記載のサポーター。
【請求項６】
前記保持板の皮膚との押接面に設けられた複数の前記凸部は球面形状をなし、当該球面形状の先端が皮膚を押接するようになすとともに、前記凸部の内部に金属シリコンを形成したことを特徴とする請求項２に記載のサポーター。
【考案の詳細な説明】
【技術分野】
【０００１】
本考案は、上肢および下肢など適所に装着して筋肉の緊張緩和やむくみの解消、あるいは関節などの固定や保温に用いるサポーターに関する。
【背景技術】
【０００２】
筋肉の緊張や、むくみの治療、あるいは関節などの固定や保温には、サポーターによる保存療法が有効といわれ、これに関連する技術が、例えば、次に示す特許文献１に開示されている。
【０００３】
特許文献１に開示されたサポーターは、従来の固定・保温効果の他にテープを螺旋状に巻いたときと同様の効果を得ることが目的であるとされ、従来の円筒状の繊維製のサポーターの内外周部にゴム紐など伸縮力の強いテープを螺旋状に縫い込むことで痛みや不快感を解消し、従来のサポーターの効果を増強するとしている。
【先行技術文献】
【特許文献】
【０００４】
【特許文献１】特開平９−１９２１６５公報
【考案の概要】
【考案が解決しようとする課題】
【０００５】
特許文献１に開示された従来の技術によった場合は、伸縮力の強い部分が螺旋状に作用するという効果が得られるとしても、患部全体を一様に圧迫し保温することに変わりはなく、装着部位の太さに応じて、あるいは患部のコリや痛みの程度に応じて、押接の強弱を部分的に変えることができないという問題点がある。
また、体調が悪い状態で自らテープを巻く作業は困難を伴うものである。
さらに、テープの下には従来の円筒状のサポーターを装着するのが一般的であり、これによって皮膚が蒸れるなど、多くの課題がある。
【０００６】
本考案の目的は前記した従来技術のサポーターに伴う諸種の問題点を解決し、従来の面による押接を変更し、線や点による押接を採用することによって、身体の部位に応じて押接の強弱を調整可能となし、自律神経反射を生じさせて筋の緊張（こり）の解消とむくみの改善を可能とする、装着が容易なサポーターを提案することにある。
【課題を解決するための手段】
【０００７】
上記課題を解決するため、本考案に係るサポーターは下記の構成を採用する。
【０００８】
すなわち、請求項１に係る考案は、細紐状のストリング部と、当該ストリング部に形成した多面体状または球体状の複数の駒部とを有してなる複数本の押接帯と、この複数本の押接帯を取付ける保持板とから構成され、前記複数本の押接帯の各々の一端部を前記保持板の一側部に固定または着脱自在に取付け、当該押接帯の他端部を包帯のように上下肢の対象部位に巻き回し、前記上下肢の各部の太さに応じて、前記押接帯の前記駒部の何れかを前記保持板に形成した係止手段に係止することによって、複数の前記押接帯の各々は、前記上下肢の各部位の太さに応じた押接度で前記上下肢を加圧保持するようになしたことを特徴とするサポーターである。
【０００９】
請求項２に係る考案は、細紐状のストリング部と、当該ストリング部に形成した多面体状または球体状の複数の駒部とを有してなる複数本の押接帯と、この複数本の押接帯を取付ける保持板とから構成され、前記複数本の押接帯の各々の一端部を前記保持板の一側部に固定または着脱自在に取付け、当該押接帯の他端部を包帯のように上下肢の対象部位に巻き回し、前記上下肢の各部の太さに応じて、前記押接帯の前記駒部の何れかを前記保持板に形成した係止手段に係止することによって、複数の前記押接帯の各々は、前記上下肢の各部位の太さに応じた押接度で前記上下肢を加圧保持するようになすとともに、前記保持板の皮膚との押接面に、複数の凸部を設けたことを特徴とするサポーターである。
【００１０】
請求項３に係る考案は、前記押接帯の他端部を係止するため前記保持板に形成した係止手段は、コ字状をなす保持板の対向位置する側板部に形成した固定用の係止溝であり、当該係止溝内に押接帯のストリング部を通し、前記駒部を係止溝に引っ掛けて係止するようになっていることを特徴とする請求項１または請求項２に記載のサポーターである。
【００１１】
請求項４に係る考案は、前記押接帯の他端部を係止するため前記保持板に形成した係止手段は、矩形板状をなす保持板の表面側に形成した固定用の多数の対となる衝立部であり、当該衝立部に囲まれた領域内に押接帯の前記駒部を嵌着して係止するようになっていることを特徴とする請求項１または請求項２に記載のサポーターである。
【００１２】
また、請求項５に係る考案は、前記保持板の皮膚との押接面に設けられた複数の前記凸部は円錐形状をなし、当該円錐形状の先端部が皮膚を押接するようになっていることを特徴とする請求項２に記載のサポーターである。
【００１３】
さらに、請求項６に係る考案は、前記保持板の皮膚との押接面に設けられた複数の前記凸部は球面形状をなし、当該球面形状の先端が皮膚を押接するようになすとともに、前記凸部の内部に金属シリコンを形成したことを特徴とする請求項２に記載のサポーターである。
【考案の効果】
【００１４】
上述のように本考案に係るサポーターによれば、上下肢に対する押接が従来の面から線や点に変えられたことと、複数本の押接帯の押接力を押接帯毎に調整することができるので、身体の部位に応じて押接の強弱を自在に変えることができ、皮膚の蒸れを生じることもなく、また保持板の皮膚との押接面に設けられた複数の凸部が、「家庭用貼付型接触粒」として、医学的に認められている効果をもたらすので、身体の部位に応じて押接の強弱を変えられることと相俟ってこりの解消とむくみの改善を可能とするサポーターが実現する。
【図面の簡単な説明】
【００１５】
【図１】本考案に係るサポーターの一実施形態を示すもので、（ａ）は保持板の平面図、（ｂ）は保持板の側面図、（ｃ）は保持板の正面図、（ｄ）はストリング部の平面図である。
【図２】図１に示すストリング部の一端部を保持板の固定溝に着脱自在に係止させた状態を示すもので、（ａ）は平面図、（ｂ）は側面図である。
【図３】本考案に係るサポーターの他の実施形態を示すもので、（ａ）は平面図、（ｂ）は側面図である。
【図４】図３に示すサポーターの使用状態を示す説明図である。
【図５】本考案に係るサポーターにおける保持板のさらに他の実施形態を示すもので、（ａ）は保持板の平面図、（ｂ）は保持板の側面図、（ｃ）は保持板の正面図、（ｄ）は保持板に形成された凸部の構造を示す断面図である。
【考案を実施するための形態】
【００１６】
以下、本考案に係るサポーターの具体的構成を図示の実施形態に基づいて詳細に説明する。
【００１７】
なお、以下に示す実施形態は、本考案の技術思想を具体化するための一例を示すものであって、本考案は以下の説明及び図示したものに限定されないのは言うまでもない。特に、実施の形態に記載されている各構成要素の寸法、材質、形状、相対的配置などは、特定的な記載がない限り、本考案の範囲をそれのみに限定する趣旨ではなく、単なる説明例に過ぎないものである。また、各図面が示す考案要素の大きさや位置関係などは説明を明確にするため誇張していることがある。
【００１８】
先ず、図１を用いて本考案に係る第１実施例のサポーター１の構造を説明する。
この第１実施例に係るサポーター１は押接帯１０と保持板２０とから構成される。
【００１９】
図１（ａ）〜（ｃ）に示す保持板２０は実施例では、幅Ｗは約４０ｍｍで、長さＬは約８０ｍｍであり、高さＨは約１０ｍｍで、厚さｔ約３ｍｍの、プラスチックを用いたコの字状の外観形態を有する構造体であり、図１（ｃ）に示すように、長手方向の対向位置する側板部２０１と側板部２０２とに、幅約２ｍｍで深さ約７ｍｍの後述する押接帯１０の両端部を係止する係止手段となる固定溝Ｍが各々７ヶ所づつ設けられている。
【００２０】
また保持板２０の底部Ｃには、図１（ｃ）に示すように４個の凸部６０が所定間隔を存して設けられている。凸部６０は底部の直径が約１０ｍｍの円錐形状をなし、シリコン材を用いて、保持板２０にインサートモールドなどによって形成されている。
【００２１】
図１（ｄ）に示す押接帯１０は、直径約３ｍｍで長さＳは略３００ｍｍの細紐状のストリング部１１に、直径約６ｍｍ程度の球体状の駒部１２が約１５ｍｍの間隔でストリング部１１と一体に成形されている。なお、ストリング部１１の長手方向の断面は円形である。また、図示の実施形態におけるストリング部１１と駒部１２はシリコンを用いているが、ゴムあるいはゴム弾性を有するエラストマーなども使用可能である。なお、駒部１２に、金属シリコンやマグネット、トルマリン、セラミック、あるいはゲルマニウムを含有させてもよい。
【００２２】
次に、図２を用いて本考案に係るサポーター１の全体の構造を説明する。図２（ａ）、図２（ｂ）は、第１実施例のサポーター１の外観を示す平面図および側面図である。
図２（ａ）、図２（ｂ）に示すように、保持板２０の側板部２０２の、７ヶ所の固定溝Ｍに７本の押接帯１０を、ストリング部１１の駒部１２を用いて嵌め込んで押接帯１０の一端部をサポーター１に着脱自在に係止する。
【００２３】
図２（ａ）に示すように、保持板２０の側板部２０２の一方の固定溝Ｍに、７本の押接帯１０の一方の端部が各々係止され、保持板２０の底面Ｃに備えられた４個の凸部６０の先端Ｔを、上下肢例えば前腕の表皮に当て、７本の押接帯１０の他端部１０ｅを、上下肢の対象部位、例えば前腕に沿って巻き回し、押接帯１０に設けられた複数個の駒部１２の何れかを、保持板２０の他方の側板部２０１の７ヶ所の固定溝Ｍに係止して、上下肢例えば前腕に固定する。
【００２４】
次に、図３を用いて、本考案による第２実施例に係るサポーター２の全体の構造を説明する。図３（ａ）および図３（ｂ）は、第２実施例に係るサポーター２の外観を示す平面図および側面図である。
第２実施例のサポーター２の特徴は、前記第１実施例のサポータ１の保持板２０の材質をプラスッチックからシリコン材に変え、保持板２５の底部Ｃの凸部６０および押接帯１５とともに一体成形し、サポーター２を形成したことである。
【００２５】
すなわち、この第２実施例に係るサポーター２においては、複数本の押接帯１５の各々の一端部を矩形状をなす保持板２５の一側部に一体的となるように連設するとともに凸部６０を保持板２５の底部Ｃに一体成形してなるものであり、当該押接帯１５の他端部１５ｅを包帯のように上下肢の対象部位に巻き回し、上下肢の各部の太さに応じて、前記押接帯１５の駒部１７の何れかを保持板２５に形成した係止手段に係止することによって、複数の前記押接帯１５の各々を上下肢の各部位の太さに応じた押接度で上下肢を加圧保持するようになしたものであり、保持板２５の底部Ｃの凸部６０が皮膚表面を適度に加圧し、こりの解消やむくみの改善が促進される。
【００２６】
詳述すると、図３（ａ）、図３（ｂ）に示すように、凸部６０を備えた保持板２５はシリコン材を用い、ストリング部１６および駒部１７を備えた押接帯１５と一体成形されている。また保持板２５の一方の面に、３列×７行の計２１個の係止手段となる固定溝Ｍｚが設けられている。固定溝Ｍｚの構造は後述する。
なお、本実施例では、凸部６０は保持板２５の底面Ｃに５個形成したが、数を増減してもよいのは勿論である。
【００２７】
固定溝Ｍｚの構造を詳述する。図３（ａ）に示すように、保持板２５の一方の面に設けられた２１個の固定溝Ｍｚは、半円状の衝立部２５１および同形状の衝立部２５２で囲われた領域であって、この領域に押接帯１５に設けられた複数個の駒部１７のうちのいずれかを嵌着して上下肢例えば前腕に固定するものである。
【００２８】
図４（ａ）および図４（ｂ）を用いて、本考案に係る第２実施例のサポータ２の使用法を説明する。図４（ａ）は第２実施例のサポーター２を前腕Ｕに装着したときの状態を示す外観図であり、図４（ｂ）は、図４（ａ）のＡ−Ａ断面図である。
【００２９】
図４（ａ）に示すように、前腕部Ｕの所望の部位に、矩形状をなす保持板２５を、その底部Ｃに形成した凸部６０の先端が当接するようにして配置し、押接帯１５の自由状態にある他端部１５ｅを、包帯のように前腕部Ｕに巻き回し、７本の押接帯１５の各々に設けられた複数個の駒部１７のいずれかを、３列のいずれかの固定溝Ｍｚに皮膚表面に対する押接度が適切になるように係止する。
【００３０】
上記のようにサポーター２を前腕Ｕに係止すると、図４（ｂ）に示すように保持板２５の底部Ｃに形成された５個の凸部６０の先端Ｔが前腕Ｕに当接し、前腕Ｕに食い込むように皮膚に接触する。
【００３１】
なお、押接帯１０，１５の自由状態にある他端部１０ｅ，１５ｅを保持板２０，２５の係止手段に係止する方法として、前記したように、保持板２０の側板部２０１に形成した固定溝Ｍに駒部１２を引っ掛けて係止する方法と、前記した衝立部２５１および２５２によって形成される係止領域である固定溝Ｍｚ内に駒部１７を嵌着して係止する方法を示したが、係止手段はこれらに限定されるものではなく、例えばストリング部の先端付近適所にフック部を形成し、当該フック部を保持板に形成した係合部に係止させて留め付けるようにしてもよい。
【００３２】
図４（ａ）および図４（ｂ）を用いて、本考案による第２実施例のサポーター２の効果を説明する。サポーター２を構成する保持板２５の固定溝Ｍｚは３列備えられ、押接帯１５の駒部１７は約１５ｍｍ間隔で１４個設けられているので、押接帯１５の、前腕Ｕに対する押接度は自由に選択可能である。
【００３３】
また、図４（ｂ）に示すように、保持板２５の底面Ｃに形成された５個の凸部６０の先端Ｔが前腕Ｕの皮膚表面に当接し前腕Ｕに食い込むように皮膚に接触するので、医学的効果が知られている「家庭用貼付型接触粒」としてコリや痛みを軽減する。
なお第１実施例に係るサポーター１の効果も同様であるので詳細な説明は省略する。
【００３４】
次に、図５を用いて、本発明に係る第３実施例のサポーターにおける保持板２１の構造を説明する。図５（ａ）〜図５（ｃ）は第３実施例のサポーター３（全体は図示せず）における保持板２１の構造を示す平面図、側面図および正面図であり、図５（ｄ）は保持板２１に形成された凸部６１の構造を示す断面図である。
なお、図５（ｄ）に示す凸部６１は、図５（ａ）〜図５（ｃ）に示す凸部６１を、略２倍に拡大してある。
【００３５】
図５（ａ）〜図５（ｃ）に示すように、保持板２１の底部Ｃには、４個の凸部６１が設けられている。凸部６１は底面の直径が約１０ｍｍの球面形状をなし、シリコン材を保持板２１にインサートモールドして形成されている。
【００３６】
次に、図５（ｄ）を用いて保持板２１に形成された凸部６１の構造を説明する。図５（ｄ）に示すように、凸部６１はシリコン体６１Ｓを主材とし、内部に、テラヘルツ波を放射するとして知られている金属シリコン体６１Ｔをインサートモールドして形成されている。
【００３７】
金属シリコン体６１Ｔは円盤状に形成され、シリコン体６１Ｓの内部におさまるように形成されている。なお、金属シリコン体６１Ｔはマグネット、トルマリン、セラミックあるいはゲルマニウムに変えてもよい。
【００３８】
次に、図５（ｂ）および（ｃ）を用いて第３実施例のサポーター３（全体は図示せず）の効果を説明する。図５（ｂ）および図５（ｃ）に示すように、第３実施例におけるサポーター３の保持板２１の底面Ｃに設けられた４個の凸部６１の先端部Ｔは球面であるため、前腕など（図示せず）に当接した際の皮膚に与える刺激が少なく、「家庭用貼付型接触粒」としての作用を緩やかにする効果がある。また凸部６１は内部に金属シリコン体６１Ｔを備えているので、金属シリコンから放射されるテラヘルツ波によって、一般に生体を活性化させるとして知られている効果を得ることが可能となる。
【符号の説明】
【００３９】
１，２，３：サポータ
１０，１５：押接帯
１１，１６：ストリング部
１２，１７：駒部
１０ｅ，１５ｅ：他端部
２０，２１，２５：保持板
Ｃ：底部
２０１，２０２：側板部
２５１，２５２：衝立部
Ｍ，Ｍｚ：固定溝
６０，６１：凸部
６１Ｓ：シリコン体
６１Ｔ：金属シリコン体
Ｔ：（凸部の）先端
Ｕ：前腕
Ｒ：手首
【図１】
0003197415.tif 000003
【図２】
0003197415.tif 000004
【図３】
0003197415.tif 000005
【図４】
0003197415.tif 000006
【図５】
0003197415.tif 000007